【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
装置であって、
第１のトランシーバの第１の送信経路に結合された第１の電力増幅器と、
前記第１のトランシーバの第１の受信経路に結合された第１の低ノイズ増幅器と、
第２のトランシーバの第２の送信経路に結合された第２の電力増幅器と、
前記第２のトランシーバの第２の受信経路に結合された第２の低ノイズ増幅器と、
少なくとも３つの状態で設定可能な第１のスイッチと、前記第１のスイッチは、第１の状態にある間、前記第２の低ノイズ増幅器を前記第１の電力増幅器の出力に選択的に結合するように構成され、ここにおいて、前記第１のスイッチは、第２の状態にある間、ワイヤレスネットワークを通して信号を送信するために前記第１の電力増幅器を第１のアンテナに結合するように構成され、前記第１のスイッチは、第３の状態にある間、前記第２の低ノイズ増幅器を前記第１のアンテナに結合するように構成される、
前記第２の電力増幅器の出力を受けるように前記第１の低ノイズ増幅器を選択的に結合するように構成された第２のスイッチと
を備える装置。
【請求項２】
前記第１のトランシーバは、複数のトランシーバを備える第１のアレイに含まれ、前記第２のトランシーバは、複数のトランシーバを備える第２のアレイに含まれる、請求項１に記載の装置。
【請求項３】
前記第１の電力増幅器は、前記第１の送信経路を介して、前記第１のアンテナを通した信号送信を可能にするために前記第１のアンテナに選択的に結合され、前記第２の低ノイズ増幅器は、前記第２の受信経路を介して、前記第１のアンテナを通した信号受信を可能にするために前記第１のアンテナに選択的に結合される、請求項１に記載の装置。
【請求項４】
前記第１の電力増幅器及び前記第２の低ノイズ増幅器は、前記第１のスイッチを介して前記第１のアンテナに選択的に結合されるように構成され、前記第１の低ノイズ増幅器及び前記第２の電力増幅器は、前記第２のスイッチを介して第２のアンテナに選択的に結合されるように構成される、請求項１に記載の装置。
【請求項５】
ループバックテストは、前記第１の電力増幅器の前記出力を受けるように前記第２の低ノイズ増幅器が結合されると、可能になる、請求項１に記載の装置。
【請求項６】
ループバックテストは、前記第２の電力増幅器の前記出力を受けるように前記第１の低ノイズ増幅器が結合されると、可能になる、請求項１に記載の装置。
【請求項７】
前記第１の電力増幅器の入力端子に結合され、かつ、前記第１の電力増幅器の出力端子に結合された第１のバイパス回路と、
前記第２の低ノイズ増幅器の入力端子に結合され、かつ、前記第１の低ノイズ増幅器の出力端子に結合された第２のバイパス回路と
を更に備え
ループバックテスト中、前記第１のバイパス回路及び前記第２のバイパス回路は、利得測定を可能にするために選択的にイネーブルにされる、
請求項１に記載の装置。
【請求項８】
前記第１のバイパス回路は、第１のバイパススイッチを備え、前記第２のバイパス回路は、第２のバイパススイッチを備える、請求項７に記載の装置。
【請求項９】
前記第１の状態は、ループバック状態を備え、前記第２の状態は、送信状態を備え、前記第１のスイッチの前記第３の状態は、受信状態を備える、請求項１に記載の装置。
【請求項１０】
前記第１のスイッチ及び前記第２のスイッチは、３状態スイッチを備え、前記第２のスイッチは、第１の状態にある間、前記第１の低ノイズ増幅器を前記第２の電力増幅器の出力に結合するように構成され、前記第２のスイッチは、第２の状態にある間、前記第２の電力増幅器を第２のアンテナに結合するように構成され、前記第２のスイッチは、第３の状態にある間、前記ワイヤレスネットワークを通して送信された信号を受信するために前記第１の低ノイズ増幅器を前記第２のアンテナに結合するように構成される、請求項１に記載の装置。
【請求項１１】
方法であって、
第１の状態において第１のスイッチを介して、第１のトランシーバの第１の電力増幅器及び第２のトランシーバの第２の低ノイズ増幅器の第１のループバックテストを可能にするために、前記第２の低ノイズ増幅器を前記第１の電力増幅器の出力に結合することと、ここにおいて、前記第１のスイッチは、少なくとも３つの状態で設定可能であり、前記第１のスイッチは、第２の状態にある間、ワイヤレスネットワークを通して信号を送信するために前記第１の電力増幅器を第１のアンテナに結合し、前記第１のスイッチは、第３の状態にある間、前記第２の低ノイズ増幅器を前記第１のアンテナに結合する、
前記第２のトランシーバの第２の電力増幅器及び前記第１のトランシーバの第１の低ノイズ増幅器の第２のループバックテストを可能にするために、前記第２の電力増幅器の出力を受けるように前記第１の低ノイズ増幅器を選択的に結合することと
を備える方法。
【請求項１２】
第１の電力センサを使用して、前記第１のループバックテスト中に、前記第１の電力増幅器の特性を決定することと、
第２の電力センサを使用して、前記第１のループバックテスト中に、前記第２の低ノイズ増幅器の特性を決定することと
を更に備える、請求項１１に記載の方法。
【請求項１３】
前記第２の低ノイズ増幅器を前記第１のアンテナに結合することは、前記第１のアンテナを介した信号受信を可能にする、請求項１１に記載の方法。
【請求項１４】
前記第１の低ノイズ増幅器は、第１の状態にある間、第２のスイッチを介して前記第２の電力増幅器の出力に結合され、前記第２のスイッチは、３状態スイッチを備え、前記第２の電力増幅器は、第２の状態にある間、前記第２のスイッチを介して第２のアンテナに結合される、請求項１１に記載の方法。
【手続補正２】
【補正対象書類名】明細書
【補正対象項目名】００６８
【補正方法】変更
【補正の内容】
【００６８】
[0074]開示された実施形態の先の説明は、これら開示された実施形態を当業者が製造又は使用できるようにするために提供される。これらの実施形態に対する様々な修正は、当業者に容易に明らかとなり、本明細書で定義された原理は、本開示の範囲から逸脱することなく他の実施形態に適用され得る。故に、本開示は、本明細書に示された実施形態に制限されることは意図されておらず、しかしながら、以下の特許請求の範囲によって定義されるような原理及び新規な特徴と一致する可能がある最も広い範囲が与えられるべきである。
以下に本願の出願当初の特許請求の範囲に記載された発明を付記する。
［Ｃ１］
装置であって、
第１の送信経路に結合された第１の電力増幅器と、
第１の受信経路に結合された第１の低ノイズ増幅器と、
第２の送信経路に結合された第２の電力増幅器と、
第２の受信経路に結合された第２の低ノイズ増幅器と、
前記第１の電力増幅器の出力を受けるように前記第２の低ノイズ増幅器を選択的に結合するように構成された第１のスイッチと、
前記第２の電力増幅器の出力を受けるように前記第１の低ノイズ増幅器を選択的に結合するように構成された第２のスイッチと
を備える装置。
［Ｃ２］
前記第１の電力増幅器及び前記第１の低ノイズ増幅器は、第１のトランシーバに含まれ、前記第２の電力増幅器及び前記第２の低ノイズ増幅器は、第２のトランシーバに含まれる、Ｃ１に記載の装置。
［Ｃ３］
前記第１のトランシーバは、複数のトランシーバを備える第１のアレイに含まれ、前記第２のトランシーバは、複数のトランシーバを備える第２のアレイに含まれる、Ｃ１に記載の装置。
［Ｃ４］
前記第１の電力増幅器は、前記第１の送信経路を介して、第１のアンテナを通した信号送信を可能にするために前記第１のアンテナに選択的に結合され、前記第２の低ノイズ増幅器は、前記第２の受信経路を介して、第２のアンテナを通した信号受信を可能にするために前記第２のアンテナに選択的に結合される、Ｃ１に記載の装置。
［Ｃ５］
前記第１のスイッチは、ループバックテストを可能にするために、前記第１の電力増幅器の前記出力を受けるように前記第２の低ノイズ増幅器を選択的に結合するように構成された第１のループバックスイッチであり、Ｃ４に記載の装置。
［Ｃ６］
前記第２のスイッチは、同時のループバックテストを可能にするために、前記第２の電力増幅器の前記出力を受けるように前記第１の低ノイズ増幅器に選択的に結合するように構成された第２のループバックスイッチであり、Ｃ５に記載の装置。
［Ｃ７］
前記第１の電力増幅器及び前記第２の低ノイズ増幅器は、前記第１のスイッチを介して第１のアンテナに選択的に結合されるように構成され、前記第１の低ノイズ増幅器及び前記第２の電力増幅器は、前記第２のスイッチを介して第２のアンテナに選択的に結合されるように構成される、Ｃ１に記載の装置。
［Ｃ８］
ループバックテストは、前記第１の電力増幅器の前記出力を受けるように前記第２の低ノイズ増幅器が結合されると、可能になる、Ｃ１に記載の装置。
［Ｃ９］
ループバックテストは、前記第２の電力増幅器の前記出力を受けるように前記第１の低ノイズ増幅器が結合されると、可能になる、Ｃ１に記載の装置。
［Ｃ１０］
前記第１のスイッチは、ワイヤレスネットワークを通して信号を送信するために前記第１の電力増幅器を第１のアンテナに選択的に結合するように構成される、Ｃ１に記載の装置。
［Ｃ１１］
前記第１のスイッチは、ワイヤレスネットワークを通して送信された信号を受けるように前記第２の低ノイズ増幅器を第１のアンテナに選択的に結合するように構成される、Ｃ１に記載の装置。
［Ｃ１２］
前記第１の電力増幅器の入力端子に結合され、かつ、前記第１の電力増幅器の出力端子に結合された第１のバイパス回路と、
前記第２の低ノイズ増幅器の入力端子に結合され、かつ、前記第１の低ノイズ増幅器の出力端子に結合された第２のバイパス回路と
を備え
ループバックテスト中、前記第１のバイパス回路及び前記第２のバイパス回路は、利得測定を可能にするために選択的にイネーブルにされる、
Ｃ１に記載の装置。
［Ｃ１３］
前記第１のバイパス回路は、第１のスイッチを備え、前記第２のバイパス回路は、第２のスイッチを備える、Ｃ１２に記載の装置。
［Ｃ１４］
方法であって、
第１の電力増幅器及び第２の低ノイズ増幅器の第１のループバックテストを可能にするために、前記第１の電力増幅器の出力を受けるように前記第２の低ノイズ増幅器を選択的に結合することと、
第２の電力増幅器及び第１の低ノイズ増幅器の第２のループバックテストを可能にするために、前記第２の電力増幅器の出力を受けるように前記第１の低ノイズ増幅器を選択的に結合することと
を備える方法。
［Ｃ１５］
前記第１のループバックテスト中に、前記第１の電力増幅器の特性を決定することと、
前記第１のループバックテスト中に、前記第２の低ノイズ増幅器の特性を決定することと
を更に備える、Ｃ１４に記載の方法。
［Ｃ１６］
第１のアンテナを介した信号送信を可能にするために前記第１の電力増幅器を前記第１のアンテナに選択的に結合することと
第２のアンテナを介した信号受信を可能にするために前記第２の低ノイズ増幅器を前記第２のアンテナに選択的に結合することと
を更に備える、Ｃ１４に記載の方法。
［Ｃ１７］
前記第２の低ノイズ増幅器は、３状態スイッチを介して前記第１の電力増幅器の前記出力を受けるように選択的に結合される、Ｃ１４に記載の装置。
［Ｃ１８］
装置であって、
送信信号を増幅するための第１の手段及び受信信号を増幅するための第１の手段と、
送信信号を増幅するための第２の手段及び受信信号を増幅するための第２の手段と、
前記送信信号を増幅するための前記第１の手段の出力を受けるように前記受信信号を増幅するための前記第２の手段を選択的に結合するための第１の手段と、
前記送信信号を増幅するための前記第２の手段の出力を受けるように前記受信信号を増幅するための前記第１の手段を選択的に結合するための第２の手段と
を備える装置。
［Ｃ１９］
前記選択的に結合するための第１の手段は、３状態スイッチを備える、Ｃ１８に記載の装置。
［Ｃ２０］
前記選択的に結合するための第１の手段は、ループバックスイッチを備える、Ｃ１８に記載の装置。